(57)【要約】      （修正有）【課題】トイレの紙巻機から巻紙トイレットペーパーを引き出すのに、巻紙の切口が密着して見えにくいことで掴みにくく、幼児や子供、老人、目の不自由な人達が非常に困っている。成人でも時々掴みにくい時には余分に巻紙を引き出し無駄になっている。これらの難点を解決する手段を提供する。【解決手段】簡単に掴み出しができるように、紙巻機８の蓋４裏に分離横棒１を設置する。引き出し紙がそれを剥がし分離して持ち上がるので、簡単に指で掴むことができる。それによって余分に紙を引き出さなくて済む。分離横棒１は巻紙６を引いた時でもブレーキの働きがあり、廻りすぎて余分に引き出すことがない。本発明は簡単な構造で、取り付けも現在使用している紙巻機にワンタッチで設置でる。【選択図】図５
2006341049.tif 000002
【特許請求の範囲】
【請求項１】
ロール巻紙トイレットペーパーを簡単に切口を掴み紙巻機から必要な分だけ無駄なく引き出す方法で、紙巻機、蓋の裏面上下移動の心棒前部にロール巻きトイレットペーパーを通すことのできる分離横棒を設け、固定してロール巻紙が分離横棒上部と蓋裏下部の間を潜り、ロール巻紙が剥がれながら分離して引き出され、必要な長さに切り取り使用することができる。ロール巻紙の先端が常に分離されているので、切目を簡単に掴み引き出せ便利である。ロール巻紙の先端の切口が密着して見えにくい点や指で掴みにくいことで、２枚３枚重ねて下巻きへと掴み引き出すことが多く、それを元に修正するのに多量に引き出されて無駄が多い。また幼児や子供、老人、障害を持つ人、目の不自由な人たちにおいては大変やっかいで困惑しているのが現実である。このような点から必要以上に巻紙が無駄に引き出されることで大衆の人がトイレで利用する巻紙の使用量は膨大とされている。本発明は、目の不自由な人でも簡単に確実に掴み取ることができる。紙巻機の蓋に固定されているので蓋を上げると巻紙の先端も一緒に上部に分離されて上がるので、切口を目で見なくても、蓋の下へ手を入れ確実に掴み引き出せる。巻紙の切口が密着して取りにくいことで紙の質を必要以上に軟化させて掴みやすくしたこともあるが、下巻紙に２枚３枚と掴み取るので倍以上の無駄となる。また切口がいつもギザギザになってだらしなく不快となる。本発明は切口が美しくできる。紙巻機の蓋をしっかりと押さえロール巻紙に密着させて引切りすると切口が美しい。切口が悪形だったり、掴みにくいことで三角折をして蓋先に出していることがあるが、その必要は全く無く紙巻機のデザインを悪くし、また無駄が多い。本発明は紙巻機に少し改良を加えるだけで巻紙が簡単に取り出せ、ほとんど無駄なく使用でき、万人に手軽に取扱いができるものである。
【発明の詳細な説明】
【技術分野】
【０００１】  本発明は、トイレの巻紙機から巻紙トイレットペーパーを簡単に掴み引き出せる方法で、ロール巻紙が引き出される時に、紙がロール巻きから分離して引き出され、使用後も分離されているので、軽く掴んで引き出され、必要な分だけ正確に使用できる。先端の切口が密着して掴みにくいことがなく、紙巻機の蓋を上げれば簡単に掴め、切口が分離しているので、幼児子供、老人、目の不自由な人でも切口を見なくても簡単に取り出すことができる。紙巻機の蓋裏面に簡単な分離棒を設置することで紙がロール巻から分離されているので掴みやすく必要な分だけ正確に引き出せ無駄がない。紙巻機製作費用も従来のものと同じで、また既に取り付けられているものにも簡単に設置でき無駄をなくすことができる。紙巻機巻紙分離法。
【背景技術】
【０００２】  一般にトイレは狭いので小型でシンプルな紙巻機が大半で、素材もステンレスかプラスチックのものが多い。巻紙の幅や太さも同じ大きさに統一されている。機能は巻紙を固定する芯の形がいくつかあるが、他の機能はほとんどない。狭いトイレではギリギリのスペースで紙巻機を大きくすることもできないために機能の改良の進展がない。どこのトイレに行っても一番困るのことは紙巻機の巻紙の切口が密着していてなかなか取れないからいらいらするので、きつく掴むと２、３枚重ねてはがしとり修正するのに多く引き出して無駄になることもある。切口がどこか解らない時もぐるぐると数回まわして見つけるが、幼児や子供、老人、目の不自由な人であれば大変困難でもあり、無駄に引き出すことで大きな損失となる。これらの事が全国的におこることから毎日の損失は膨大である。これらの問題点を解決するための紙巻機巻紙分離引出法。
【発明の開示】
【発明が解決しようとする課題】
【０００３】  トイレの紙巻機の巻紙を引き出すことが非常に困難で、幼児や子供、老人、目の不自由な人にとっては大変な問題である。またやっかいなために紙が無駄に使用されている。人口が老齢化するにつれて目や指先が不自由になり、巻紙をうまく掴むことが出来ず、一度掴むと余分に引き出してしまう。巻紙を強く引いた場合でも回転して余分に出てくる。個人消費の中で巻紙の使用は最も多く、スーパー、薬局、量販店の店先に山積みにされて販売されている。パルプは森林を伐採して加工されており、環境の為にも効率よく紙の資源を守ることが必要である。本発明は日々使用されているトイレットペーパー、巻紙を幼児、子供、老人、目の不自由な人でも簡単に引き出して無駄なく使用できるように、紙巻機の蓋裏面に巻紙分離棒を設置して巻紙が効率よく引き出すことを可能にする。
【課題を解決するための手段】
【０００４】  上記の課題を解決するためには、図１に示す巻紙分離棒を図２紙巻機の蓋裏面５の蓋上下移動芯棒の近くに設置固定し、図５のように６の巻紙を１の巻紙分離横棒に通して、図６の８紙巻機にセットして６を掴み引き出し、４の蓋先を押さえて引き切りをして使用する。図４のように蓋を上部に開くと１も一緒に上がるので６の先端部も上がり分離によって６が掴みやすくなり簡単に引き出すことができる。１の巻紙分離横棒に６が乗っているから巻紙が廻り過ぎることがなく無駄に引き出すことはない。巻紙を６で強く押えて引き切りすると切口がスッパリと切れて美しい。切口が密着しても４の蓋を開くと６は分離するので掴みやすく、誰にでも問題なく必要な分だけ引き出すことができる。
【発明の効果】
【０００５】  本発明は以上説明したように、トイレの紙巻機にセットされている巻紙トイレットペーパーを、蓋裏の分離横棒で巻紙を剥り分離して切口を掴みやすくし、必要な分だけ引き出すことができる。一般には巻紙が密着するので切口が見えにくく掴みにくいことで巻紙を必要以上に引き出し無駄になる。その消費量は膨大とされ、森林の伐採に関わり環境問題で指摘されている。毎日男性は１回、女性なら数回は必ず巻紙を使用している。これらを少しでも少なくするために紙巻機の巻紙が簡単に必要な分だけ取れるようにすることが必要である。これにより消費を減らす効果と幼児や子供、老人、目の不自由な人たちが巻紙の切口を簡単に掴み引き出して使用することができる利便性が、素晴らしい効果をもたらす。
【発明を実施するための最良の形態】
【０００６】  トイレはスペースが狭いところが多く、大型器具の設置は難しいので出来るだけ最小のものでの設置が望ましい。現在の紙巻機が適性でその内部に機能的なものを設置することが肝要である。トイレは座ったままの状態で巻紙を引き出し、ボタンやレバーを押して操作するので座った状態で手の届くことが重要とされる。公衆トイレの標準も狭い範囲で機能を果たしている。また掃除範囲も狭い方が効率的である。本発明は現在設置されているトイレの紙巻機内に設置することで余分なスペースは取らない。費用も小型なので安価で、公衆トイレでは１〜２日で巻紙の節約により回収できる。新しく設置する場合でも従来と同じ予算で設置でき、巻紙トイレットペーパーの節約は多大となる。また幼児、子供、老人、目の不自由な人たちに日々使用する巻紙の取り出しが苦にならない最良の形態となる。
【実施例】
【０００７】  以下図面を参照して本発明の紙巻機巻紙分離引出法を使用した実施例を説明すると、図１の１分離横棒を図２の４の紙巻機の蓋の裏面に設置固定して、図４のように６の巻紙を８の紙巻機にセットし、図５の１分離横棒に６の巻紙を剥がし通して分離して置き、使用する時は４の蓋を上に開いて６を掴み、必要量を引き出して４の蓋で巻紙を押えて引き切りする。切口もスッパリと切れて美しい。何度くり返し切っても６の先端が分離横棒で分離するので、スピーディーに巻紙を掴み引き出せる。また巻紙６が１の分離横棒を剥ぐっているので巻紙が廻りすぎて余分な紙を出すことがない。障害者やたとえ盲人であっても楽に掴んで引き出せ、多くの人から高い評価を得る発明である。なお、本発明の素材は、ステンレス、プラスチック、金属、ガラス、木、陶器、紙、布、セラミック、ゴム、ウレタン等である。
【産業上の利用可能性】
【０００８】  トイレは総ての人が毎日利用し、それだけにトイレットペーパー、巻紙の消費は大変な量とされている。駅、デパート、スーパー、オフィス、球場、役所、マンションその他人の多く集まる施設で多く設置され利用されているおり、一部の駅構内のトイレなど紙を自動販売機で販売しているの箇所を除く、その他の大半のトイレは紙巻機を設置しており、巻紙が自由に引き出されたり、紙が密着していて切口が解らない点や厄介なので掴むと余分に引き出されることで、使用される巻紙の量は膨大である。また幼児や子供、老人、目の不自由な人達は巻紙の切口が解りにくいことで非常に困惑している。本発明はそれらの人達に便宜をはかり安心して使用でき、また設置することで巻紙の無駄な消費を大幅に削減し、経済効果とまた地球環境保全に大きく役立つ。簡単でシンプルですべての紙巻機に設置が安価にでき、数日で設置費用が回収でき、驚くほどの倹約になることから産業上での利用はきわめて高い。
【図面の簡単な説明】
【０００９】
【図１】本発明の分離横棒の斜視図
【図２】本発明を蓋裏に設置した斜視図
【図３】市販の巻紙の斜視図
【図４】本発明を紙巻機に固定した斜視図
【図５】本発明に巻紙を剥らせた斜視図
【図６】本発明が紙巻機に内蔵された斜視図
【図７】本発明の二種類の形状の斜視図
【符号の説明】
【００１０】１    分離横棒本体
２    分離横棒
３    接着面
４    紙巻機蓋
５    上下移動芯
６    巻紙
７    巻紙筒穴
８    紙巻機
９    蓋通し分離金枠
１０  ビスネジ
１１  分離枠棒
１２  蓋止め下枠
１３  ロール棒受け
１４  固定接着板
１５  回転ロール棒
【図１】
2006341049.tif 000003
【図２】
2006341049.tif 000004
【図３】
2006341049.tif 000005
【図４】
2006341049.tif 000006
【図５】
2006341049.tif 000007
【図６】
2006341049.tif 000008
【図７】
2006341049.tif 000009